(57)【特許請求の範囲】
【請求項１】
片面が自己接着性である部分（10）を、動いている第１ウェブ（20）から動いている第２ウェブ（21）へ移動させるデバイスであって、前記第１ウェブ（20）は、切り取られたか、丸形か又は斜めのコーナー（12）を有する矩形又は方形の形で存在し、相互に接触する部分（10）を剥離するため、ウェブ（20）の方向に対して横断方向に伸長するディスペンサーエッジ（１）のまわりをまわってそのウェブとは反対方向へ導かれ、互いに分離されている、前記コーナー（12）の間に存する端部（11）は、廃棄される部分として第１ウェブ（20）上に剥離されずに保持され、前記ディスペンサーエッジ（１）は、第２ウェブ（21）に対して鋭角に位置するとともに、第１ウェブ（20）の端部（11）に接する区域が、第２ウェブ（21）に移送される部分（10）に接する区域より小さい程度にたわむように形成されていることを特徴とする、前記デバイス。
【請求項２】
ディスペンサーエッジ（１）の或る区域が互いに異なる曲率半径（ｒ）又は（Ｒ）を有し、部分（11）が剥離されないで接着している第１ウェブ（20）の区域の曲率半径（Ｒ）は、ウェブの他の区域の曲率半径より実質的に大きいことを特徴とする、請求項１に記載のデバイス。
【請求項３】
ディスペンサーエッジ（１）の区域が少なくとも１個の窪部（３〜５）により中断されることを特徴とする、請求項１に記載のデバイス。
【請求項４】
ディスペンサーエッジ（１）がそのディスペンサーエッジ（１）の中心軸に対して好ましくは対称的に配置された２個の側部窪部（3,4）によって中断されることを特徴とする、請求項１又は３に記載のデバイス。
【請求項５】
ディスペンサーエッジ（１）が中心窪部（５）により中断されることを特徴とする、請求項１又は３に記載のデバイス。
【請求項６】
ディスペンサーエッジ（１）が部分（11）が剥離されないで接着されている第１ウェブ（20）の区域に窪部（３〜５）を備えていることを特徴とする、請求項１〜５のいずれかに記載のデバイス。
【請求項７】
動いている第１ウェブ（20）上で互いに接触する部分（10）に対する、請求項１〜６のいずれかに記載のデバイスの使用。
【請求項８】
活性物質含有部分に対する、請求項７に記載のデバイスの使用。
【発明の詳細な説明】
本発明は、片面が自己接着性である部材を動いている第１ウェブから動いている第２ウェブへ移送するデバイスに関し、廃棄される部分は、第１ウェブ上に接着されたままであり、そのデバイス、第１ウェブに関連しかつその第１ウェブの方向に対して横断方向に伸長するディスペンサーエッジでなる。前記片面接着性部材が剥離される時、ウェブはディスペンサーエッジをまわって、そのウェブの方向と逆方向へ導かれる。
個々の片面が自己接着性である部材を第１ウェブから剥離させ、それを第２ウェブへ移送するために、これらは現在の技術状態によれば、はじめに、ウェブの形の材料から得られなければならない。この目的のために、接着性部材がパンチアウトされた直後に剥がされるような密着ラチスを不必要な自己接着性部材で形成するようにカットを入れなければならない。その場合、通常のディスペンシングエッジによって、廃棄部分のない所望の部分を容易に剥がすことができる。
この方法では自己接着性部材の廃棄物が多量に出るが、それは好ましいことではない。その廃棄物が非常に高価で、しかも、高度の汚染物質である場合、この欠点は特に、重大である。DE 42 32 279は、自己接着性部材がパンチアウトされ、剥離され、移送されることにより、皮膚治療システムを製造する方法を記述している。従来の方法の効果は、自己接着性部材の無駄がないことであるが、それは矩形又は方形の部分に制限される。
DE 38 32 239は、ウェブの個々の構成要素を部分的に分配する方法とデバイスを記載している。その部分的な分配は、フリーパンチングにより実行される。そして、廃棄物が密着ラチスを形成し、それを剥がしたり、巻き取ったりしなければならない。しかしながら、このプロセスは、自己接着性部材には適さない。
GB 22 08 505は、特別な形のディスペンサーエッジを記載している。剥離された接着性部材の剛性を増すために、波形にする。しかしながら、部分的な剥離はこのデザインによって達成されない。DE 31 04 035は、中心部が中断されたロール形ディスペンシングエッジを記述している。前記中断は心棒を休めることになり、それはディスペンサーエッジの分配機能に影響を与えることはない。
そこで、本発明の目的は、片面が自己接着性部材を動いている第１ウェブから動いている第２ウェブへ移送するデバイスを改良することであって、このデバイスは、第１ウェブに関連しかつ、第１ウェブの方向に対して横断方向に伸長するディスペンサーエッジでなり、自己接着性部材が剥離される時、ウェブはディスペンサーエッジをまわってウェブの方向とは逆方向へ案内される。その場合、第１ウェブに接着して剥がれない部分がある。好ましくは、密着ラチスを形成する必要なしに、辺縁部分がウェブ上に残る。
本発明によれば、この目的は、ディスペンサーエッジのデザインが剥離されない部分の区域のものと、剥離される部分の区域のものとが異なるという事実によって、請求の範囲１の導入部分に記載した種類のデバイスにより達成される。
好ましい実施例によれば、ディスペンサーエッジの或る部分は、少なくとも１個の窪部によって中断される。この実施例のメカニズムは、例えば、窪部によって中断されるような、ディスペンサーエッジのその区域において、弾性支持用フィルムのたわみが少ないという事実に基づいている。この理由のために、このエリアで、或いはいくつかのエリアで自由にパンチアウトされる部分は、剥がれないで、単一廃棄物として、あるいは密着廃棄物として動いている第１ウェブに接着したままである。
一実施例によれば、このディスペンサーエッジは、好ましくは、このディスペンサーエッジの中心軸に対して対称的に配置された２個の側部窪部により中断される。この実施例は、接着性部材の剥離されるコーナーが丸味を有しているか、或いは斜めに形成される辺縁部分が存在する場合、特に適する。しかしながら、もうひとつの実施例によれば、このディスペンサーエッジはまた、中央窪部により中断することも可能である。そのような手段は、例えば、弾性支持用フィルムの部分がフリーパンチ式中心ストリップによって、対をなして剥離されねばならない場合に、適する。そこで、廃棄物を構成する前記中心ストリップは、接着性部材の剥離後、第１ウェブに接着する。
前述の実施例の場合、本発明は常に、ディスペンサーエッジが第１ウェブの、剥離されない部分を有する区域に窪部を備えることを前提とする。
このデバイスのもうひとつの実施例によれば、ディスペンサーエッジの或る部分は、互いに異なる曲率半径を有し、剥離されない部分を有する第１ウェブの区域の曲率半径は、ウェブの他の区域の曲率半径より実質的に大きい。
更に、本発明は、矩形又は方形の形をした接着性部材で、コーナーが丸形、又は斜めにカットされ、それらのコーナー間に残された部分が第１ウェブに接着したままであるものに対して、片面が自己接着性である部材を、動いている第１ウェブから動いている第２ウェブへ移すデバイスの使用を提供する。
さらに、本発明は、動いている第１ウェブ上で互いに接触する部分に対するそのデバイスの使用を提供する。
最後に、本発明は、活性物質を含む部分に対するこのデバイスの使用を提供する。
前述の設計上の特徴の１つを有するディスペンサーエッジを使って、例えば、丸形又は斜めのコーナーを備えた自己接着性矩形又は方形物を、動いているウェブから剥離することができる。前記方形、又は矩形物間には、デバイダーの必要はない。即ち、それらは互いに接触する。前記接着性部材を剥がした後、残りの材料は、ウェブのエッジ区域に廃棄物として接着する。最も効果的なことに、このプロセスでは、分離式の場合に生じるような多量の廃棄物が出ることはない。かくして、高価な活性物質と補助剤が使用される場合に、コストの節約となる。これは活性物質と補助剤に適用できるばかりでなく、その非常に高価なディスポーザルにも適用できる。このプロセスは、皮膚治療システムの製造に効果的に使用される。この場合、丸味のあるコーナーを有する矩形又は方形の形が好ましい。なぜなら、それらは、人間の皮膚に接着するのに効果的である。
本発明により一般に達成される効果は、自己接着性部材が移動ウェブから剥離され、必要とされない部分がウェブに残るということである。これは、例えば、丸味のあるコーナー、或いは斜めのコーナーを有する矩形又は方形の形からわずかに逸脱してもその部分の製造を可能にする。その場合、廃棄物は最少限となる。本発明によるデバイスは特に、皮膚治療システムの連続的製造に効果的である。
以下、本発明をいくつかの実施例に関連して示す。図面は本発明の更なる特長を示す。
図１は本発明のデバイスの側面図を示す。
図２は中心軸に対して対称的に配置された２つの側部窪部を有するディスペンサーエッジを示す。
図３は、中央窪部を有するディスペンサーエッジの平面図である。
図４は半径の異なるディスペンサーエッジの拡大側面図を示す。
図５は第１ウェブの平面図であって、その上に複数の部分をのせた状態を示す。
図６は第２ウェブの平面図であって、その上をスクラップを除去した部分が移送される。
図７は部分を取り除いた後の第１ウェブの平面図であって、そのエッジにスクラップ部分が残されている。
図１は、片面が自己接着性である部分10が動いている第１ウェブ20から動いている第２ウェブへ移送される間のデバイスを示す。部分10と、それらの部分10間にあって、廃棄される部分11（クロスカットにより互いに分離されている）とは、矢印30の方向からやってくる第１ウェブ20上に概略的に配置されている。第１ウェブがディスペンサーエッジ１のまわりに案内される時、自己接着性部材10は、それ自身の剛性により剥離され、そして第２ウェブ21の上に載置される。
それらの部分は加圧ローラ（図示せず）によってプレスされ、その自己接着層の確実な接着により、矢印31方向へ移動するウェブ21上に接着される。本発明のディスペンサーエッジ１の実施例において、部分11は剥離されず、概略的に示されるように、それの部分は矢印32の方向へ引っ張られる第１ウェブ20上に、廃棄材料として残される。
図２は中心軸に対して対称的に配置された２つの側部窪部３、４を有するディスペンサーエッジ１の一実施例を示す。
図３は、中央窪部５によって遮断されたディスペンサーエッジ１の平面図である。
図４は、半径の異なるディスペンサーエッジ１の実施例の約10倍の拡大側面図であり、それは、例えば、中心ハッチ部分にある比較的小さな半径（ｒ）と、横部分にある比較的大きい半径（Ｒ）とを有する。支持フィルム20がたわむ時、部分10は小半径（ｒ）部分でのみ剥離され、大半径（Ｒ）部分では廃棄される部分が支持フィルム20上に残される。
図５は部分10をその上に配置した第１ウェブ20を示す。それらの部分10間に、廃棄される部分11が存在する。それらの部分11は、コーナーを丸くすることによって形成される。
図６は、ウェブ20から剥離され、ウェブ21上へ移送された部分10の平面図である。
図７は、部分10を除去した後の第１ウェブ20を示す。廃棄する予定の接着した部分11がそこに残されている。
本発明は複雑さがなく、自己接着性部材を移動ウェブから離脱させることを可能とし、そこで、ウェブ上に残された廃棄すべき部分11と、剥離した部分とは、動いている第２ウェブ上を移送される。このデバイスは、皮膚治療システムや、その他の活性物質を含む基質の製造に適する。
【図１】
0003549891.tif 000002
【図２】
0003549891.tif 000003
【図３】
0003549891.tif 000004
【図７】
0003549891.tif 000005
【図４】
0003549891.tif 000006
【図５】
0003549891.tif 000007
【図６】
0003549891.tif 000008